(57)【要約】【課題】穴を開けることが出来ない契約書や機密文書等の書類に、穴を開けなくても綴じ合わせることを可能とし、袋状のファイルに一枚一枚挿入しなければならないという手間を省き、追加や差し替え、或いは序列の変更に対応でき、より簡便な作業で自在に冊子化できる文房具の提供を課題とするものである。【解決手段】穴を開けることなく複数の書類を綴じ込むことが可能な冊子を作製する文具であって、再剥離性粘着剤が塗布された複数枚のシートが綴じられた綴じ部からノド部によって構成され、前記再剥離性粘着剤が塗布された塗布面には非粘着テープが貼付されている構成とした。【選択図】図４
2019115997.tif 000002
【特許請求の範囲】
【請求項１】
穴を開けることなく複数の書類（Ｓ）を綴じ込むことが可能な冊子を作製する文具であって、
再剥離性粘着剤（１０）が塗布された複数枚のシート（２０）が綴じられた綴じ部（３０）からノド部によって構成され、
前記再剥離性粘着剤（１０）が塗布された塗布面（１１）には非粘着テープ（１２）が貼付されていることを特徴とする冊子作製綴具（１）。
【請求項２】
前記再剥離性粘着剤（１０）が前記シート（２０）の両面に塗布され、
該塗布される前記塗布面（１１）及び前記非粘着テープ（１２）の位置が綴じ合わせたときに位相するように配置されたことを特徴とする請求項１に記載の冊子作製綴具（１）。
【請求項３】
前記シート（２０）の素材が非粘着性素材であることを特徴とする請求項１又は請求項２に記載の冊子作製綴具（１）。
【請求項４】
既存のファイルに綴じ込み可能な穴部（４０）を有することを特徴とする請求項１から請求項３の何れかに記載の差替可能冊子作製文具（１）。
【請求項５】
表紙（５０）と裏表紙（５１）を設けたことを特徴とする請求項１から請求項４の何れかに記載の冊子作製綴具（１）。
【請求項６】
前記シート（２０）の前記綴じ部（３０）方向に並行な一辺の長さを分割して構成したことを特徴とする請求項１から請求項５の何れかに記載の冊子作製綴具（１）。
【請求項７】
前記シート（２０）が透明又は半透明の樹脂フィルムであって、メモ書き可能な素材であることを特徴とする請求項１から請求項６の何れかに記載の冊子作製綴具（１）。
【発明の詳細な説明】
【技術分野】
【０００１】
本発明は、書類に穴を開けずに冊子化する綴じ具の技術に関し、詳しくは綴じ合わされた複数枚のシートからなり、該シートに再剥離性粘着剤が塗布された位置に貼付された非粘着シールを剥がし、冊子化したい書類を貼着させ、書類に穴を開けなくても整理すること及び、冊子化後でも簡単に差し替えや追加が可能な綴じ具の技術に関する。
【背景技術】
【０００２】
書類を整理する際、一般的な方法としては書類に穴を空けて綴じこむリングファイル形式等がある。しかしながら、係る方法では、大事な書類に穴を空けなくてはならず、穴の部分に文字が当たってしまうと読めない箇所が生じるなど、不便な点があった。そこで、穴を開けることなく簡単に綴じ込む方法として、ホッチキスで綴じるという方法もある。しかしながら、係る方法では差し替えや並べ替えができなくなってしまうという問題がある。また、クリップ等で挟み込む方法もあるが、この方法だとクリップ自体が邪魔となり、取り外すとばらばらになってしまう。即ち、従来のとじ込み手段では何れも問題を残しているといえ、複数の書類を冊子化するには十分とはいえず、使い勝手の良い差し替え可能な綴じ具の開発が求められている。
【０００３】
その他のファイル方法としては、穴を開けられない大切な書類を一枚ずつ綴じ込む袋状クリアファイルがある。係る袋状クリアファイルにはとじ込み用の穴が設けられており、リングファイル等に冊子化できるという利点がある。しかしながら、係る袋状クリアファイルでは高価となってしまい、また、ファイルに一枚ずつ書類を差し込むといった手間が生じることや、差し込んだ後に追加記入ができなくなってしまうという欠点がある。更に、新たに挟み込みたい書類を順番に入れ替える作業はかなりの時間と手間を要することとなる。
【０００４】
上記の問題点に鑑みて、既に係る問題を解決しよう種々の技術が提案されている。例えば、発明の名称を「書類、冊子を穴あけなしでバインダーに着脱するための補助文具」とする技術が公開され公知技術となっている。（特許文献１参照）。具体的には「補助文具は、全体が一枚の透明材（フィルム、ビニール等）から作成され、製品は、それを中心軸から２つ折りにしてバインダー連結部を圧着・穿穴し、書類固定部の間に書類・冊子を挿入する」といった構成を採用したものである。係る特許文献１に記載の発明は、穴を開けずに綴じ込みが可能という点においては便利になったものの、一枚ずつ綴じるものであって、綴り具を有するファイルやバインダーなどが無ければ冊子化をすることができないという欠点がある。
【０００５】
また、発明の名称を「ファイル」とする技術が開示され、公知技術となっている（特許文献２参照）。具体的には「表カバーと裏カバーとをつなぐファイルの背の内面に互いに平行する複数枚の好適には透明な帯状の支持片を取付け、この各支持片の片面又は両面に該支持片の長さ方向に沿って細帯状の接着剤層を形成し、この各支持片にファイルされる書類の一側縁を上記接着剤層により貼着可能にする。」というものである。しかしながら、特許文献２に記載の発明は、貼着に接着剤を使用していることから一度貼ってしまうと剥がすことが出来ず、追加や差し替え、或いは序列の変更等に対応できないという欠点がある。
【０００６】
また、発明の名称を「粘着テープ付きファイル」とする技術が開示され、公知技術となっている（特許文献３参照）。具体的には「粘着テープ付きファイルは、ファイル表紙等内側の一部に、粘着テープを貼り付けておく。編綴時は、最初に編綴する書類等をホッチキス等で止め、次に粘着テープの剥離紙を剥離して、表紙・裏表紙の中に位置を整えて挟み、圧着して貼り付ける事により、編綴を仕上げるファイルである。又、剥離紙部分を折り返して長く取り付けることにより、編綴時、ホッチキス等で止めた書類等を、位置を整えて表紙・裏表紙の間へ挟み、押さえながら剥離紙を引き抜き、圧着して貼り付ける事により、編綴を仕上げる方法の物もあるファイル」というものである。係る特許文献３に記載の発明は、接着を粘着性の糊を使っている点などから表紙の着脱が自在であることは優れているが、係る技術は出来上がった冊子に表紙を脱着できるというものであって、バラバラな書類を集めて冊子化するものではない。
従って、前記何れの先行技術文献に開示された技術によっても、本発明の課題を解決するに至っていない。
【先行技術文献】
【特許文献】
【０００７】
【特許文献１】特開平１０−５２９８９号公報
【特許文献２】特開平１１−２４０２８３号公報
【特許文献３】特開２００２―２８３７８０号公報
【発明の概要】
【発明が解決しようとする課題】
【０００８】
本発明は、穴を開けることが出来ない契約書や機密文書等の書類に、穴を開けなくても綴じ合わせることを可能とし、袋状のファイルに一枚一枚挿入しなければならないという手間を省き、追加や差し替え、或いは序列の変更に対応でき、より簡便な作業で自在に冊子化できる文房具の提供を課題とするものである。
【課題を解決するための手段】
【０００９】
本発明は、穴を開けることなく複数の書類を綴じ込むことが可能な冊子を作製する文具であって、再剥離性粘着剤が塗布された複数枚のシートが綴じられた綴じ部からノド部によって構成され、前記再剥離性粘着剤が塗布された塗布面には非粘着テープが貼付されている構成を採用した。
【００１０】
また、本発明は、前記再剥離性粘着剤が前記シートの両面に塗布され、該塗布される前記塗布面及び前記非粘着テープの位置が綴じ合わせたときに位相するように配置された構成を採用することもできる。
【００１１】
また、本発明は、前記シートの素材を非粘着性素材とする構成を採用することもできる。
【００１２】
また、本発明は、既存のファイルに綴じ込み可能な穴部を有する構成を採用することもできる。
【００１３】
また、本発明は、表紙と裏表紙を設けた構成を採用することもできる。
【００１４】
また、本発明は、前記シートの前記綴じ部方向に並行な一辺の長さを分割して構成した構成を採用することもできる。
【００１５】
また、本発明は、前記シートが透明又は半透明の樹脂フィルムであって、メモ書き可能な素材である構成を採用することもできる。
【発明の効果】
【００１６】
本発明に係る冊子作製綴具によれば、穴を空けられない大事な書類等の冊子化が容易にできるという優れた効果を発揮する。
【００１７】
また、本発明に係る冊子作製綴具によれば、何度でも貼って剥がせる再剥離性粘着剤を採用したことでファイル化後に書類の貼り直しも可能となり、無駄なく、且つ自在に書類の整理が可能となる優れた効果を発揮するものである。
【００１８】
また、本発明に係る冊子作製綴具よれば、従来品の袋状のファイルに挿入する手間がいらず、後から必要な書類を容易に付け足すことが可能となる優れた効果を発揮するものである。
【図面の簡単な説明】
【００１９】
【図１】本発明に係る冊子作製綴具の基本構成を示す基本構成説明図である。
【図２】本発明に係る冊子作製綴具のシートの両面に再剥離性粘着剤を塗布した構成を示す説明図である。
【図３】本発明に係る冊子作製綴具にとじ込み用穴を設けた実施例を示す説明図である。
【図４】本発明に係る冊子作製綴具に表紙と裏表紙を設けた実施例を説明する説明図である。
【図５】本発明に係る冊子作製綴具が分割構造を用いた実施例を説明する説明図である。
【発明を実施するための形態】
【００２０】
本発明に係る冊子作製綴具１は、穴を開けることなく複数の書類Ｓを綴じ込んで冊子化することを可能とする文具であって、各シート２０の片面、又は両面に再剥離性粘着剤１０を塗布し、該再剥離性粘着剤１０が塗布された塗布面１１には、非粘着テープ１２が貼付され、シート２０を複数枚綴じ合わせる綴じ部３０によって構成されることを最大の特徴とするものである。以下、図面に基づいて説明する。なお、本実施例で示される冊子作成綴具１の全体形状及び各部の形状は、下記に述べる実施例に限定されるものではなく、本発明の技術的思想の範囲内、即ち、同一の作用効果を発揮できる形状及び寸法の範囲内で変更することができるものである。
【００２１】
図１は、本発明に係る冊子作製綴具１の基本構成を示す基本構成説明図であり、図１（ａ）は、本発明に係る冊子作製綴具１の全体構成を示す正面図であり、図１（ｂ）は、本発明に係る冊子作製綴具１の全体構成を示す平面図である。
【００２２】
本発明に係る冊子作製綴具１は、綴じ部３０からノド部により構成される各シート２０に、貼ってはがせる再剥離性粘着剤１０を塗布し、差し替え及び並び替えを自由にするものであり、以下、再剥離性粘着剤１０の塗布状態について説明する。
【００２３】
再剥離性粘着剤１０は、図１（ａ）に示すように、シート２０と非粘着テープ１２の間に塗布され、係る再剥離性粘着剤１０が塗布された領域を塗布面１１とするものである。係る再剥離性粘着剤１０は貼って剥がせる粘着剤であって、一般に感圧接着剤と呼ばれているものを用い、特に限定するものではないが、例えば、アクリル系ポリマーとして一般的といえるアクリル系エマルジョン型粘着剤や、アクリル系溶剤型粘着剤、或いはウレタン系粘着剤を用いればよい。なお、天然ゴム系粘着剤や、シリコン系粘着剤等の粘着性が低い種類の粘着剤を用いる場合には、必要に応じて粘着付与剤を添加することなどによって調整する必要がある。
【００２４】
塗布面１１は、再剥離性粘着剤１０が塗布され、書類Ｓを張り付けるためのシート２０の片面若しくは両面に設けられる領域である。該領域は、書類Ｓを保持するために必要な面積があれば足り、例えばＡ４サイズの用紙であれば、長さが少なくとも２１０ミリで、幅が１０ミリ程度あれば縦横何れの方向に貼り付けても保持可能となる。なお、係る塗布面１１の大きさは貼着目的とする書類Ｓの大きさや重さ、或いは素材によって自在に変更すればよく、先に示した数値はあくまで実施例であって、これに限定されるものではない。
【００２５】
なお、塗布面１１を、シート２０の片面のみに設けた構成では、非粘着テープ１２を剥離した状態で書類Ｓを貼付すると、シート２０は該書類Ｓの裏面側に配置され、書類Ｓに記載された文字等を隠すことがなく、また、書類Ｓに追加記入や捺印等をすることも可能となるという利点がある。これに対し、塗布面１１を、シート２０の両面に設けた構成では、シート２０が書類Ｓの記載を覆うこととなるが、収納可能な書類Ｓの数を増やせることや、片面（例えば表面）のみでいったん綴じ合わせた後、追加したい書類Ｓを貼付（裏面に）することも可能となる。
【００２６】
非粘着テープ１２は、塗布面１１に貼付するもので、再剥離性粘着剤１０に重ねて貼ることで粘着力が低下しないように乾燥等から保護するとともに、積層するシート２０若しくは積層するシート２０に塗布された再剥離性粘着剤１０との貼着を回避するために設けられる再剥離性粘着剤１０の保護テープである。係る非粘着テープ１２は、一枚のシート２０に連通した塗布面１１を一枚の非粘着テープ１２で覆うように構成してもよく、また、分割して剥離できるような構成とすることも有効である。例えば、領収書や名刺のように、幅や大きさがそれほど大きくないものに対しては一枚のシート２０に分割して非粘着テープ１２を設け、別個に収納できる数を増やすことが可能となるからである。また、非粘着テープ１２の綴じ部３０の一端側の辺を固定して書類Ｓ側には剥離可能な構成とすることも有効である。係る構成を採用した場合には、シート２０同士が貼着されることを回避することが可能となる。
【００２７】
再剥離性粘着剤１０を図２（ｂ）及び図４に示すように分割して配置する構成を採用する場合では、隣り合うシート２０に塗布される再剥離性粘着剤１０と重ならない位置にずらして配置することが望ましい。また、片面のみに再剥離性粘着剤１０を分割して塗布される場合は、シート２０に非粘着性素材を用いるか、もしくは裏面の全体に非粘着性素材を被着させるなどして、シート２０同士が貼り付かないようにすることが望ましい。
【００２８】
シート２０は、書類Ｓを貼り付けるための基台となり、綴りを終えた複数の書類Ｓから成る冊子のノド部となる部材である。シート２０の全体の大きさは、例えば綴じ込みたい書類ＳがＡ４サイズであれば、縦方向に最大で２９７ｍｍあればよく、綴じ部３０からノド部となる幅方向は約２０ｍｍから約４０ｍｍ程度の幅があれば充分である。係る幅方向の寸法は、再剥離性粘着剤１０の塗布面１１を十分考慮して決定することとなる。
【００２９】
また、シート２０の素材には、紙シートや樹脂シート等が考えられるが、シート２０の両面に再剥離性粘着剤１０が塗布された構成では、背面に書類Ｓを貼付するとシート２０が係る書類Ｓの上面に配置されることとなり、シート２０によって書類の内容が見えなくなってしまう。そこで、シート２０の素材に透明なものを用いれば書類Ｓに記載された文字等が視認できるようになる。また、透明のみならず、鉛筆やボールペン或いはサインペンといった水性、油性を問わずに記載可能な素材とすることで、シート２０をメモ領域とすることも可能となる。
【００３０】
なお、ノド部とは、一般的に冊子や書籍等の各部名称を示す際に用いられる用語であるが、本書面では、綴じ合わせられる綴じ部３０を含み、再剥離性粘着剤１０が塗布される塗布面１１を含むシート２０の両端辺の間を示すものとする。
【００３１】
綴じ部３０は、複数のシート２０を連結して綴じ合わせる部分であり、中綴じ、平綴じ、糸かがり綴じ、無線綴じ等、種々の綴じ合わせ手段によってそれぞれ異なるものの、図１（ａ）、図２（ａ）及び図４は、綴じ合わせる部分に接着剤による帯状の層で示した。係る帯状の層は、一般的に花ぎれと呼ばれる背表紙に当たる部分である。なお、係る花ぎれ部分には、接着剤による帯状の綴じ合わせ手段だけでなく、例えば、図面には示していないが、糸や針金を使った平綴じによる綴じ合わせ手段や、表紙５０及び裏表紙５１を設ける構成における、くるみ製本による綴じ合わせ手段を用いてもよい。
【００３２】
図２は、本発明に係る冊子作製綴具１に係るシート２０の両面に再剥離性粘着剤１０を塗布した構成を示す説明図であり、図２（ａ）はシート２０の両面に再剥離性粘着剤１０を塗布した状態の正面視を示し、図２（ｂ）はシート２０の両面に再剥離性粘着剤１０を塗布した状態の平面視を示し、図２（ｃ）はシート２０の両面に再剥離性粘着剤１０を分割して塗布した状態の平面視を示している。
【００３３】
再剥離性粘着剤１０をシート２０の両面に塗布する場合では、積層され、各隣り合わせとなるシート２０同士が貼着されないように塗布面１１をずらして配置する必要があり、また、非粘着テープ１２を剥離した塗布面１１同士の貼着を回避する必要もある。そこで、図２（ａ）に示すように、シート２０の両面に配置される塗布面１１をそれぞれ段違いとなるように配置することや、図２（ｂ）及び図２（ｃ）に示すように、分割して段違いに配置することが有効である。係る構成を採用した場合、一枚のシート２０に対し書類Ｓを二枚貼着することや、大きさの異なる書類Ｓを分割して貼着させることが可能となる。
【００３４】
図３は、本発明に係る冊子作製綴具１に穴部４０を設けた構成を採用した実施例を説明する説明図であり、図３（ａ）は、既存のファイルが二つ穴用に対応する実施例を示し、図３（ｂ）は既存のファイルが多穴用に対応する実施例を示している。
【００３５】
穴部４０は、一般に穴を開けて、そこに書類Ｓを留めていく既存のファイルへ収納するための穴であり、係る穴部４０を設けた場合、冊子としてまとまった書類Ｓ毎に保存しておくことが可能となる。なお、係る既存のファイルは図面には示していないが、Ｏリング、Ｄリング、パイプ式等、多様な種類があり、留め具を操作する機構が設けられているもので、例えば、リングタイプやパイプ式に対応した二つ穴や、Ａ４サイズの多穴用の三十穴等を設ける必要がある。なお、係る穴部４０のピッチや数は規格化されており、これらの種類に対応してピッチおよび穴数を設けることが必要となる。
【００３６】
図４は、本発明に係る冊子作製綴具１に表紙５０及び裏表紙５１を設けた実施例を示す説明図であり、図４（ａ）は、表紙５０及び裏表紙５１を設けた状態での正面視を示し、図４（ｂ）は表紙５０より裏表紙５１を設けて一枚の書類Ｓが貼付された場合に示す斜視図である。
【００３７】
表紙５０は、本発明に係る冊子作製綴具１に綴じ込められた書類Ｓを保管する際、その内容のタイトル表示や書類Ｓの保護を図るための表側カバーである。
【００３８】
裏表紙５１は、表紙５０に対応し、本発明に係る綴じ込められた書類Ｓを保管する際、その内容表示及び保護をするための裏側カバーである。係る裏表紙５１と表紙５０は、素材に厚紙等を用いて収納する用紙よりもやや大きめとする。具体的には規格化されたファイルサイズ、若しくは小口や天を考慮し、用紙よりもやや大きめのサイズとすることが望ましい。
【００３９】
係る表紙５０及び裏表紙５１を付けることによって一般に市販されているファイルやバインダーと同様に違和感なく書棚に収容することが可能となり、該表紙５０、裏表紙５１の間に背表紙を設けることによって見出しを作ることが出来る構成となる。なお、表紙５０と裏表紙５１は、別個に構成してもよく、一体として綴り部の形状に応じて折り曲げた形状としてもよい。
【００４０】
図５は、本発明に係る冊子作製綴具１の再剥離性粘着剤１０の塗布領域を分割した実施例を説明する説明図である。本発明に係る冊子作製綴具１で使用する用紙は、特に限定されるものではなく、例えばＡ４縦サイズで冊子化を図る場合でも、領収書や名刺のように大きさの異なる書類Ｓを併せて綴じたい場合にも対応できるように、図５に示すような再剥離性粘着剤１０の塗布領域を分割することが望ましい。この場合、非粘着テープ１２についても、係る領域に対応して分割して貼られることとなる。
【００４１】
なお、図５では三分割で示しているが、これに限定されるわけではなく、例えば、全体はＡ４サイズに対応できる大きさとし、縦方向に直接貼付するのみならず、三つ折りしたＡ４サイズの一面の一片を貼付したり、Ａ５サイズやＡ６サイズ等、大きさの小さい書類Ｓや、Ｌ版サイズの写真などを分割された一つの塗布面１１にそれぞれ一枚ずつ貼付してもよい。
【産業上の利用可能性】
【００４２】
本発明は、書類をより効率よく有効に整理できる文房具を提供することを可能とし、特に穴を開けなければファイルできない一般的なファイル方法から穴を開けることなく、また、袋状のファイルに一枚一枚挿入しなければならないという手間を省き、より簡単に整理できる文房具である。よって多くの文書管理に携わる業務において需要が見込まれ、産業上利用可能性は極めて高いと思慮されるものである。
【符号の説明】
【００４３】
１    冊子作製綴具
１０  再剥離性粘着剤
１１  塗布面
１２  非粘着テープ
２０  シート
３０  綴じ部
４０  穴部
５０  表紙
５１  裏表紙
Ｓ    書類
【図１】
2019115997.tif 000003
【図２】
2019115997.tif 000004
【図３】
2019115997.tif 000005
【図４】
2019115997.tif 000006
【図５】
2019115997.tif 000007
【手続補正書】
【提出日】平成30年3月14日(2018.3.14)
【手続補正１】
【補正対象書類名】特許請求の範囲
【補正対象項目名】全文
【補正方法】変更
【補正の内容】
【特許請求の範囲】
【請求項１】
穴を開けることなく複数の書類（Ｓ）を綴じ込むことが可能な冊子を作製する文具であって、
再剥離性粘着剤（１０）が塗布された複数枚のシート（２０）が、綴じ部（３０）によって綴じられて構成され、
前記シート（２０）は前記綴じ部（３０）の長手方向に分割され、
該分割された前記シート（２０）毎に前記再剥離性粘着剤（１０）が塗布された塗布面（１１）を有し、
該塗布面（１１）には非粘着テープ（１２）が貼付されていることを特徴とする冊子作製綴具（１）。
【請求項２】
前記再剥離性粘着剤（１０）が前記シート（２０）の両面に塗布され、
該塗布される前記塗布面（１１）及び前記非粘着テープ（１２）の位置が、綴じ合わせたときに前記シート（２０）同士が貼着されないようにずらして配置されていることを特徴とする請求項１に記載の冊子作製綴具（１）。
【請求項３】
前記シート（２０）の素材が非粘着性素材であることを特徴とする請求項１又は請求項２に記載の冊子作製綴具（１）。
【請求項４】
既存のファイルに綴じ込み可能な穴部（４０）を有することを特徴とする請求項１から請求項３の何れかに記載の冊子作製綴具（１）。
【請求項５】
表紙（５０）と裏表紙（５１）を設けたことを特徴とする請求項１から請求項４の何れかに記載の冊子作製綴具（１）。
【請求項６】
前記シート（２０）が透明又は半透明の樹脂フィルムであって、メモ書き可能な素材であることを特徴とする請求項１から請求項５の何れかに記載の冊子作製綴具（１）。
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
穴を開けることなく複数の書類（Ｓ）を綴じ込むことが可能な冊子を作製する文具であって、
複数枚のシート（２０）が、綴じ部によって綴じられて冊子のノド部を構成する部材となり、
前記シート（２０）は、前記綴じ部（３０）の長手方向に対して分割された再剥離性粘着剤（１０）の塗布領域となる塗布面（１１）を有し、
該塗布面（１１）には非粘着テープ（１２）が貼付されていることを特徴とする冊子作製綴具（１）。
【請求項２】
前記再剥離性粘着剤（１０）が前記シート（２０）の両面に塗布され、
該塗布される前記塗布面（１１）及び前記非粘着テープ（１２）の位置が、綴じ合わせたときに前記シート（２０）同士が貼着されないようにずらして配置されていることを特徴とする請求項１に記載の冊子作製綴具（１）。
【請求項３】
前記シート（２０）の素材が非粘着性素材であることを特徴とする請求項１又は請求項２に記載の冊子作製綴具（１）。
【請求項４】
既存のファイルに綴じ込み可能な穴部（４０）を有することを特徴とする請求項１から請求項３の何れかに記載の冊子作製綴具（１）。
【請求項５】
表紙（５０）と裏表紙（５１）を設けたことを特徴とする請求項１から請求項４の何れかに記載の冊子作製綴具（１）。
【請求項６】
前記シート（２０）が透明又は半透明の樹脂フィルムであって、メモ書き可能な素材であることを特徴とする請求項１から請求項５の何れかに記載の冊子作製綴具（１）。
【手続補正２】
【補正対象書類名】明細書
【補正対象項目名】０００４
【補正方法】変更
【補正の内容】
【０００４】
上記の問題点に鑑みて、既に係る問題を解決しようと、種々の技術が提案されている。例えば、発明の名称を「書類、冊子を穴あけなしでバインダーに着脱するための補助文具」とする技術が公開され公知技術となっている。（特許文献１参照）。具体的には「補助文具は、全体が一枚の透明材（フィルム、ビニール等）から作成され、製品は、それを中心軸から２つ折りにしてバインダー連結部を圧着・穿穴し、書類固定部の間に書類・冊子を挿入する」といった構成を採用したものである。係る特許文献１に記載の発明は、穴を開けずに綴じ込みが可能という点においては便利になったものの、一枚ずつ綴じるものであって、綴り具を有するファイルやバインダーなどが無ければ冊子化をすることができないという欠点がある。
【手続補正書】
【提出日】平成30年9月5日(2018.9.5)
【手続補正１】
【補正対象書類名】特許請求の範囲
【補正対象項目名】全文
【補正方法】変更
【補正の内容】
【特許請求の範囲】
【請求項１】
穴を開けることなく複数の書類（Ｓ）を綴じ込むことが可能な冊子を作製する文具であって、
複数枚のシート（２０）が、綴じ部によって綴じられて冊子のノド部を構成する部材となり、
前記シート（２０）は、前記綴じ部（３０）の長手方向に対し、分割して整列される突出部を有する形状から成り、
前記突出部には再剥離性粘着剤（１０）の塗布領域となる塗布面（１１）を有し、
該塗布面（１１）には非粘着テープ（１２）が貼付されていることを特徴とする冊子作製綴具（１）。
【請求項２】
前記再剥離性粘着剤（１０）が前記シート（２０）の両面に塗布され、
該塗布される前記塗布面（１１）及び前記非粘着テープ（１２）の位置が、綴じ合わせたときに前記シート（２０）同士が貼着されないようにずらして配置されていることを特徴とする請求項１に記載の冊子作製綴具（１）。
【請求項３】
前記シート（２０）の素材が非粘着性素材であることを特徴とする請求項１又は請求項２に記載の冊子作製綴具（１）。
【請求項４】
既存のファイルに綴じ込み可能な穴部（４０）を有することを特徴とする請求項１から請求項３の何れかに記載の冊子作製綴具（１）。
【請求項５】
表紙（５０）と裏表紙（５１）を設けたことを特徴とする請求項１から請求項４の何れかに記載の冊子作製綴具（１）。
【請求項６】
前記シート（２０）が透明又は半透明の樹脂フィルムであって、メモ書き可能な素材であることを特徴とする請求項１から請求項５の何れかに記載の冊子作製綴具（１）。
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
穴を開けることなく複数の書類（Ｓ）を綴じ込むことが可能な冊子を作製する文具であって、
複数枚のシート（２０）が、綴じ部によって綴じられて冊子のノド部を構成する部材となり、
前記シート（２０）は、前記綴じ部（３０）の長手方向に対し、分割して整列される突出部を有する形状から成り、
前記突出部には再剥離性粘着剤（１０）の塗布領域となる塗布面（１１）を有し、
該塗布面（１１）には非粘着テープ（１２）が貼付されていることを特徴とする冊子作製綴具（１）。
【請求項２】
前記再剥離性粘着剤（１０）が前記シート（２０）の両面に塗布され、
該塗布される前記塗布面（１１）及び前記非粘着テープ（１２）の位置が、綴じ合わせたときに前記塗布面（１１）同士が貼着されないようにずらして配置されていることを特徴とする請求項１に記載の冊子作製綴具（１）。
【請求項３】
前記シート（２０）の素材が非粘着性素材であることを特徴とする請求項１又は請求項２に記載の冊子作製綴具（１）。
【請求項４】
既存のファイルに綴じ込み可能な穴部（４０）を有することを特徴とする請求項１から請求項３の何れかに記載の冊子作製綴具（１）。
【請求項５】
表紙（５０）と裏表紙（５１）を設けたことを特徴とする請求項１から請求項４の何れかに記載の冊子作製綴具（１）。
【請求項６】
前記シート（２０）が透明又は半透明の樹脂フィルムであって、メモ書き可能な素材であることを特徴とする請求項１から請求項５の何れかに記載の冊子作製綴具（１）。